(57)【要約】【課題】排気口が形成される内枠体を天板本体部に固定するに際し、内枠体が浮き上がってしまうことを確実に抑える。【解決手段】ガスコンロ１において、内枠体３０は、天板本体部２０の内縁部２４の表側を覆う構成で内縁部２４に沿って配置される被覆部３２と、浮き防止板７０と係合する被係合部３３とを備え、被覆部３２と内縁部２４の表側の面との間に貯留される接着剤９２によって天板本体部２９の内縁部２４に接着される。内枠体３０の外縁側には、天板本体部２０の表側の面と当接する当接部３４が被覆部３２の一部として内枠体３０の外縁に沿って設けられ、浮き防止板７０は、内枠体３０と係合する係合部７６を有し、係合部７６が被係合部３３に対して下方側への押圧力を加えた状態で天板本体部２０の裏面側に固定されている。【選択図】図４
2019023521.tif 000002
【特許請求の範囲】
【請求項１】
上端側が開放した形態をなし、少なくともグリル庫を収容する筐体部と、
前記筐体部の上端側に組み付けられて前記筐体部を閉塞する天板部と、
を有するガスコンロであって、
前記天板部は、
板状に構成されるとともに後端側に開口部又は切り欠き部からなる内縁部が形成された天板本体部と、
前記内縁部に沿うように前記天板本体部に固定されるとともに、前記グリル庫からの排気を排出する排気口が自身の内縁側に形成された内枠体と、
前記天板本体部の裏面側に固定される補強板と、
前記天板本体部の裏面側に固定される浮き防止板と、
を具備し、
前記内枠体は、
前記内縁部の表側を覆う構成で前記内縁部に沿って配置される被覆部と、
前記浮き防止板と係合する被係合部と
を備え、
少なくとも前記被覆部と前記内縁部の表側の面との間に貯留される接着媒体によって前記内縁部に接着され、
前記内枠体の外縁側には、前記天板本体部の表側の面と当接する当接部が前記被覆部の一部として前記内枠体の外縁に沿って設けられ、
前記浮き防止板は、前記内枠体と係合する係合部を有し、前記係合部が前記被係合部に対して下方側への押圧力を加えた状態で前記天板本体部の裏面側に固定されているガスコンロ。
【請求項２】
前記補強板は、下方側に膨出した構成をなす第１膨出部を有し、
前記浮き防止板は、前記第１膨出部と上下に重なって配置されるとともに下方側に膨出した構成をなす第２膨出部を有し、
更に、前記第１膨出部と前記第２膨出部とを締結する締結部材が設けられており、
前記締結部材により前記第２膨出部を前記第１膨出部に近づける上方側への力が加えられることに応じて、前記係合部を下方側に付勢する付勢力が生じる構成をなす請求項１に記載のガスコンロ。
【請求項３】
前記第１膨出部と前記第２膨出部の間に隙間が構成されている請求項２に記載のガスコンロ。
【請求項４】
少なくとも一部が前記天板部の上方側に配置されるコンロバーナを有し、
前記天板本体部には、前記コンロバーナが挿し通される開口形状のバーナ挿通部が形成され、
前記天板部は、前記天板本体部の表側において前記バーナ挿通部に沿って配置される環状の座金部材と、前記天板本体部の裏面側に配置されるとともに、前記座金部材に組み付けられる組付部材と、を具備し、前記座金部材と前記組付部材とが前記天板本体部及び前記補強板を上下に挟む構成で互いに組み付けられており、
前記浮き防止板における前側の縁部には、後方側に凹む凹部が形成され、
前記組付部材は、前記天板本体部の裏面側において、少なくとも一部が前記凹部内に配置されるとともに前記凹部内において前記浮き防止板に隣接した状態で前記座金部材に組み付けられている請求項１から請求項３のいずれか一項に記載のガスコンロ。
【請求項５】
前記組付部材において前記バーナ挿通部よりも前記凹部側に、前記補強板を前記天板本体部側に向かって押圧する突出部が形成されている請求項４に記載のガスコンロ。
【請求項６】
上端側が開放した形態をなし、少なくともグリル庫を収容する筐体部と、前記筐体部の上端側に組み付けられて前記筐体部を閉塞する天板部と、を有し、
前記天板部が、板状に構成されるとともに後端側に開口部又は切り欠き部からなる内縁部が形成された天板本体部と、前記内縁部に沿うように前記天板本体部に固定されるとともに、前記グリル庫からの排気を排出する排気口が自身の内縁側に形成された内枠体と、前記天板本体部の裏面側に固定される補強板と、前記天板本体部の裏面側に固定される浮き防止板と、を具備し、
前記内枠体が、前記内縁部の表側を覆う構成を前記内縁部に沿って配置される被覆部と、前記浮き防止板と係合する被係合部と、を備える
ガスコンロの製造方法であって、
前記被覆部と前記内縁部の表側の面との間に接着媒体を介在させた状態で前記内枠体を前記内縁部に沿って配置する配置工程と、
前記補強板を前記天板本体部の裏面側に固定する第１固定工程と、
前記浮き防止板の係合部が前記内枠体の前記被係合部と係合する状態、且つ前記係合部において前記被係合部に対し下方側への押圧力が生じる状態で、前記浮き防止板を前記天板本体部の裏面側に固定する第２固定工程と、
を含むガスコンロの製造方法。
【発明の詳細な説明】
【技術分野】
【０００１】
本発明は、ガスコンロ及びガスコンロの製造方法に関するものである。
【背景技術】
【０００２】
従来から、魚などの被調理物に対して加熱調理を行うためのグリル庫が器内に設けられた加熱調理器が知られている。例えば、特許文献１で開示される加熱調理器は、天板（天板本体部）の後端側の表面に設けられて排気口が形成される内枠体と、この排気口を覆うように排気口と対向する範囲に多数の通風可能な小開口を有する排気口カバーと、を備えており、グリル庫からの排気を排気経路及び排気口を介して排出する構成となっている。
【先行技術文献】
【特許文献】
【０００３】
【特許文献１】特開２００９−３６３８３号公報
【発明の概要】
【発明が解決しようとする課題】
【０００４】
特許文献１で開示されるガスコンロでは、内枠体の左右方向の幅と天板（天板本体部）の左右方向の幅とが同程度となっており、天板（天板本体部）の後端側の領域において天板（天板本体部）の左右方向全体に及ぶように内枠体が組み付けられている。しかし、このように天板本体部において左右方向の広い領域を占めるように内枠体が組み付けられてしまうと、使用者がガスコンロを見たときに内枠体が目に入りやすくなり、内枠体の存在感が大きくなりすぎてしまう。
【０００５】
一方、内枠体の存在感を抑える構成として、内枠体の左右方向の幅を小さくし、天板本体部の左右方向中央側において左右方向一部領域のみに内枠体を配置するような構成が考えられる。この場合、天板本体部の左右方向両端部から離れた位置に貫通孔又は切り欠き部からなる開口領域を形成し、この開口領域に嵌め込むように内枠体を接着剤などによって接着することになる。しかし、内枠体を天板本体部に接着する際には、ある程度の時間をかけて接着剤を乾燥させなければならず、この乾燥過程では内枠体が天板本体部に強く圧着されていない状態、即ち、内枠体の「浮き」が生じやすくなる。
【０００６】
本発明は、上述した課題を解決するためになされたものであり、排気口が形成される内枠体を天板本体部に固定するに際し、内枠体が浮き上がってしまうことを確実に抑えることを目的とするものである。
【課題を解決するための手段】
【０００７】
本発明の第１の例であるガスコンロは、
上端側が開放した形態をなし、少なくともグリル庫を収容する筐体部と、
前記筐体部の上端側に組み付けられて前記筐体部を閉塞する天板部と、
を有するガスコンロであって、
前記天板部は、
板状に構成されるとともに後端側に開口部又は切り欠き部からなる内縁部が形成された天板本体部と、
前記内縁部に沿うように前記天板本体部に固定されるとともに、前記グリル庫からの排気を排出する排気口が自身の内縁側に形成された内枠体と、
前記天板本体部の裏面側に固定される補強板と、
前記天板本体部の裏面側に固定される浮き防止板と、
を具備し、
前記内枠体は、
前記内縁部の表側を覆う構成で前記内縁部に沿って配置される被覆部と、
前記浮き防止板と係合する被係合部と
を備え、
少なくとも前記被覆部と前記内縁部の表側の面との間に貯留される接着媒体によって前記内縁部に接着され、
前記内枠体の外縁側には、前記天板本体部の表側の面と当接する当接部が前記被覆部の一部として前記内枠体の外縁に沿って設けられ、
前記浮き防止板は、前記内枠体と係合する係合部を有し、前記係合部が前記被係合部に対して下方側への押圧力を加えた状態で前記天板本体部の裏面側に固定されている。
【０００８】
本発明の第２の例であるガスコンロの製造方法は、
上端側が開放した形態をなし、少なくともグリル庫を収容する筐体部と、前記筐体部の上端側に組み付けられて前記筐体部を閉塞する天板部と、を有し、
前記天板部が、板状に構成されるとともに後端側に開口部又は切り欠き部からなる内縁部が形成された天板本体部と、前記内縁部に沿うように前記天板本体部に固定されるとともに、前記グリル庫からの排気を排出する排気口が自身の内縁側に形成された内枠体と、前記天板本体部の裏面側に固定される補強板と、前記天板本体部の裏面側に固定される浮き防止板と、を具備し、
前記内枠体が、前記内縁部の表側を覆う構成を前記内縁部に沿って配置される被覆部と、前記浮き防止板と係合する被係合部と、を備える
ガスコンロの製造方法であって、
前記被覆部と前記内縁部の表側の面との間に接着媒体を介在させた状態で前記内枠体を前記内縁部に沿って配置する配置工程と、
前記補強板を前記天板本体部の裏面側に固定する第１固定工程と、
前記浮き防止板の係合部が前記内枠体の前記被係合部と係合する状態、且つ前記係合部において前記被係合部に対し下方側への押圧力が生じる状態で、前記浮き防止板を前記天板本体部の裏面側に固定する第２固定工程と、
を含む。
【発明の効果】
【０００９】
本発明の第１の例である上記ガスコンロは、排気口が形成された内枠体が、天板本体部の内縁部に沿うように接着されるようになっており、内枠体に設けられた被覆部と天板本体部における内縁部の表側の面との間に接着媒体が貯留されるようになっている。内枠体の外縁側には、天板本体部の表側の面と当接する当接部が被覆部の一部として内枠体の外縁に沿って設けられている。そして、浮き防止板は、内枠体と係合する係合部を有し、係合部が内枠体に設けられた被係合部に対して下方側への押圧力を加えた状態で天板本体部の裏面側に固定されている。このように構成されるため、内枠体には下方側への力が継続的に付加されることになり、内枠体が天板本体部から浮き上がることを確実に抑えることができる。しかも、浮き防止板によって内枠体に対し下方側への力を付加することができるため、接着媒体の乾燥が不十分な時期であっても内枠体の浮き上がりを確実に抑えることができる。また、天板本体部の裏面側に固定される浮き防止板によってこのような作用を生じさせることができるため、見栄えを大きく損ねることもない。
【００１０】
本発明の第２の例であるガスコンロの製造方法によっても、上記ガスコンロと同様の効果を生じさせることができる。
【図面の簡単な説明】
【００１１】
【図１】実施例１のガスコンロを概略的に例示する斜視図である。
【図２】実施例１のガスコンロにおける天板部の底面図である。
【図３】図２のＢ−Ｂ断面概略図である。
【図４】図２のＡ−Ａ断面概略図である。
【図５】図２のＣ−Ｃ断面概略図である。
【図６】実施例１のガスコンロの製造方法に関し、内枠体、中央側内枠部を配置する工程を説明する説明図である。
【図７】天板本体部の形成工程で形成された天板本体部を説明する説明図である。
【図８】天板本体部の配置工程を説明する説明図である。
【図９】外枠体の配置工程を説明する説明図である。
【図１０】第１固定工程を説明する説明図である。
【発明を実施するための形態】
【００１２】
本発明の望ましい例を以下に示す。但し、本発明は、以下の例に限定されない。
本発明のガスコンロにおいて、補強板は、下方側に膨出した構成をなす第１膨出部を有していてもよい。浮き防止板は、第１膨出部と上下に重なって配置されるとともに下方側に膨出した構成をなす第２膨出部を有していてもよい。更に、第１膨出部と第２膨出部とを締結する締結部材が設けられていてもよい。そして、締結部材により第２膨出部を第１膨出部に近づける上方側への力が加えられることに応じて、係合部を下方側に付勢する付勢力が生じるように構成されていてもよい。このように構成されていれば、第１膨出部と第２膨出部とを締結部材によってより強固に固定しつつ、その強固な固定構造に基づいて係合部を下方側に付勢する強い付勢力を発生させることができる。
【００１３】
本発明のガスコンロは、第１膨出部と第２膨出部の間に隙間が構成されていてもよい。このようにすれば、第２膨出部を第１膨出部側に近づけることによって付勢力を発生させようとする構造を採用する上で、第２膨出部の移動可能な範囲をより大きく確保することができ、より強い付勢力を発生させやすくなる。
【００１４】
本発明のガスコンロは、少なくとも一部が天板部の上方側に配置されるコンロバーナを有していてもよい。天板本体部には、コンロバーナが挿し通される開口形状のバーナ挿通部が形成されていてもよい。天板部は、天板本体部の表側においてバーナ挿通部に沿って配置される環状の座金部材と、天板本体部の裏面側に配置されるとともに、座金部材に組み付けられる組付部材と、を具備し、座金部材と組付部材とが天板本体部及び補強板を上下に挟む構成で互いに組み付けられていてもよい。浮き防止板における前側の縁部には、後方側に凹む凹部が形成されていてもよい。組付部材は、天板本体部の裏面側において、少なくとも一部が凹部内に配置されるとともに凹部内において浮き防止板に隣接した状態で座金部材に組み付けられていてもよい。このようにすれば、コンロバーナの周囲に配置される座金部材と組付部材を利用し、浮き防止板により近い位置で補強板と天板本体部を強固に密着させることができる。
【００１５】
組付部材においてバーナ挿通部よりも凹部側に、補強板を天板本体部側に向かって押圧する突出部が形成されていてもよい。このように突出部が設けられていれば、浮き防止板により近い位置で、点接触又はそれに近い形で補強板を押圧することができ、補強板と天板本体部を強固に密着させることができる。
【００１６】
＜実施例１＞
まず、ガスコンロ１の概要を説明する。図１に示すガスコンロ１は、調理鍋等の調理器具を加熱可能なビルトインコンロとして構成され、複数のこんろ部６Ａ，６Ｂ，６Ｃを備え、器内にグリル庫１０を内蔵してなる。ガスコンロ１は、装置本体１Ａに天板部４（トッププレート）が取り付けられた構成をなす。装置本体１Ａは、ガスコンロ１から天板部４を除いた部分であり、ガスコンロ１の外殻をなす筐体部２と、筐体部２内に収容される様々な部品（グリル庫１０等）とを有してなる。天板部４は、筐体部２の上端部に固定されており、この天板部４から露出するように、左こんろ部６Ａ、右こんろ部６Ｂが夫々設けられ、その左右のこんろ部６Ａ，６Ｂの間で後方寄りに小こんろ部６Ｃが設けられている。左こんろ部６Ａには、コンロバーナ８Ａが設けられ、右こんろ６Ｂには、コンロバーナ８Ｂが設けられ、小こんろ部６Ｃには、コンロバーナ８Ｃが設けられている。コンロバーナ８Ａ，８Ｂ、８Ｃは、公知のガスバーナとして構成され、図示しないガス供給路を介してガスが供給される構成をなし、それぞれの一部が天板部４の上方側に配置されるようになっている。また、天板部４の下方において装置本体１Ａの内部中央付近にはグリル庫１０が設けられている。
【００１７】
次に、天板部４について説明する。図１、図２のように、天板部４は、上端側が開口してなる筐体部２の上端部に固定されるものであり、ガスコンロ１の上面部を構成するものである。天板部４の取付対象となる筐体部２は、左右の側壁部（図１では、一方の側壁部２Ｂを図示）と、図示しない後壁部と、前壁部として機能する前面パネル２Ａと、図示しない底壁部とを備え、前後左右の壁部によって部品の収容空間が囲まれた構成をなし、部品の収容空間の下方側は底壁部によって閉塞される。このように、筐体部２は、上端部が開放した箱状形態をなし、天板部４は筐体部２の上端側に構成される開口部を閉塞する構成で筐体部２に取り付けられる。なお、本明細書では、天板本体部２０の厚さ方向を上下方向とし、天板本体部２０を平面視したときの長手方向を左右方向とし、上下方向及び左右方向と直交する方向を前後方向とする。上下方向において、天板本体部２０の表側を上方側とし裏側を下方側とする。また、天板本体部２０の板面方向（天板本体部２０の厚さ方向と直交する平面方向）において天板本体部２０の中心側を天板部４の内側とし天板本体部２０の周縁部側を天板部４の外側とする。
【００１８】
図１、図２のように、天板部４は、板状の天板本体部２０と、天板本体部２０の周縁部に沿うように天板本体部２０の裏面部２２に固定される周縁枠体２８と、天板本体部２０を裏面部側から補強する補強板５０と、天板本体部２０の内縁部２４に固定される内枠体３０と、天板本体部２０における中央側の所定位置にそれぞれ固定される中央側内枠部６１，６２，６３とを備えており、図１のように筐体部２の上端側に組み付けられて筐体部２を閉塞する構成をなす。
【００１９】
天板本体部２０は、ガラス板からなる板状部材、或いは金属板材の表面にホーロー処理を施してガラスコート層を形成した板状部材などとして構成されている。天板本体部２０は、単体としては図７のような形状をなしており、後端側には、貫通した長孔形状の開口部からなる内縁部２４が形成されている。図７のように、天板本体部２０には、コンロバーナ８Ａ，８Ｂ、８Ｃが挿し通される開口形状のバーナ挿通部２１Ａ，２１Ｂ，２１Ｃが形成されている。
【００２０】
図１、図２のように、天板本体部２０には、内枠体３０，中央側内枠部６１，６２，６３がそれぞれ固定されている。中央側内枠部６１，６２，６３は、天板本体部２０の中央側に形成された各バーナ挿通部２１Ａ，２１Ｂ，２１Ｃの付近にそれぞれ固定されている。中央側内枠部６１は、天板本体部２０の裏面部２２に板状の組付部材６１Ａが固定され、天板本体部２０の表側の面２０Ａにリング状の座金部材６１Ｂが固定され、これらが固定部材（ねじ等）によって連結される。中央側内枠部６２は、天板本体部２０の裏面２０Ｂに板状の組付部材６２Ａが固定され、表側の面２０Ａにリング状の座金部材６２Ｂが固定され、これらが固定部材（ねじ等）によって連結される。中央側内枠部６３は、天板本体部２０の裏面２０Ｂに板状の組付部材６３Ａが固定され、天板本体部２０の表側の面２０Ａにリング状の座金部材６３Ｂが固定され、これらが固定部材（ねじ等）によって連結される。中央側内枠部６１，６２，６３のそれぞれには、上下に貫通した開口部６１Ｃ，６２Ｃ，６３Ｃがそれぞれ形成され、これらがバーナ挿通部２１Ａ，２１Ｂ，２１Ｃのそれぞれと連通しており、天板部４の装着時には、開口部６１Ｃ，６２Ｃ，６３Ｃに対して下側からコンロバーナ（ガスバーナ）８Ａ，８Ｂ、８Ｃがそれぞれ挿入されようになっている（図１参照）。
【００２１】
周縁枠体２８は、例えば金属材料や樹脂材料などからなり、図１〜図３のように、接着剤などの接着媒体によって天板本体部２０の裏面２０Ｂに接着される構成をなし、天板本体部２０の周縁部近傍を補強する機能を有する。図２、図３のように、周縁枠体２８は、矩形状に構成された天板本体部２０の周縁部に沿った形状の矩形枠として構成され、周縁枠体２８の外縁部は、天板本体部２０の板面方向において天板本体部２０の周縁部とほぼ同位置、又は天板本体部２０の周縁部よりも僅かに外側に張り出している。周縁枠体２８の下面には、パッキン９４が周縁枠体２８に沿うように固定されている。
【００２２】
内枠体３０は、例えば金属材料などからなり、図２、図３のように、天板本体部２０の内縁部２４（開口部）に沿うように天板本体部２０に固定され、グリル庫１０からの排気を排出する排気口３５が自身の内縁側に形成されている。図１のように、内枠体３０には、カバー部材９６が嵌め込まれ、このカバー部材９６には、排気を導出するための多数の貫通孔が形成されている。図３、図４のように、内枠体３０は、天板本体部２０の内縁部２４（開口部）の表側（上側）を覆う構成で内縁部２４に沿って配置される被覆部３２と、後述する浮き防止板７０と係合する被係合部３３とを備え、被覆部３２と内縁部２４の表側の面２４Ａとの間に貯留される接着剤９２（接着媒体）によって内縁部２４に接着される。内枠体３０の外縁側には、天板本体部２０の表側の面と当接する当接部３４が被覆部３２の一部として内枠体３０の外縁に沿って設けられている。被覆部３２は、内縁部２４の上方側において内縁部２４に沿うように環状に配置される。３２は、内縁部２４の上方側において内縁部２４に沿うように環状に配置される。被覆部３２の下方側には、内縁部２４（貫通孔）内に配置されるとともに内縁部２４の上方側から下方側まで及ぶように環状に配置された環状壁部３７が連結されており、この環状壁部３７の下端部に被係合部３３が連結されている。
【００２３】
補強板５０は、例えば金属材料などからなり、図２〜図４のように、天板本体部２０の裏面側に固定される板状の部材として構成されている。補強板５０は、天板本体部２０の裏面２０Ｂに密着する板状の密着部５４と、密着部５４よりも下方側に突出する形で形成されるとともに下方側に膨出した構成をなす第１膨出部５１とを有する。密着部５４は、図示しない接着剤や締結部材などによって天板本体部２０の裏面２０Ｂに固定されている。第１膨出部５１は、内縁部２４側の位置（具体的には、前後方向において組付部材６３Ａと内枠体３０の間に位置）に設けられている。
【００２４】
浮き防止板７０は、例えば金属材料などからなり、図２〜図４のように、天板本体部２０の裏面２０Ｂ側に固定される板状の部材として構成されている。浮き防止板７０は、板状に構成されるとともに補強板５０の密着部５４の下面に密着する板状部７１と、第１膨出部５１と上下に重なって配置されるとともに下方側に膨出した構成をなす第２膨出部７２と、内枠体３０と係合する係合部７６とを有し、係合部７６が被係合部３３に対して下方側への押圧力を加えた状態で天板本体部２０の裏面２０Ｂ側に固定されている。具体的には、補強板５０の第１膨出部５１と浮き防止板７０の第２膨出部７２とがねじ等からなる締結部材９０によって固定されている。そして、図４のように、締結部材９０により第２膨出部７２を第１膨出部５１に近づける上方側への力が加えられることに応じて、係合部７６を下方側に付勢する付勢力が生じるようになっており、係合部７６から被係合部３３に対して下方側への押圧力が継続的に加わるようになっている。具体的には、第２膨出部７２の頂部７２Ａが第１膨出部５１の頂部５１Ａ側に押されることに応じて、係合部７６と第２膨出部７２の間に設けられた支点部７９を支点として、テコの原理により被係合部７６側が下方側に押し下げられるようになっている。なお、第１膨出部５１のテーパ部５１Ｂと第２膨出部７２のテーパ部７２Ｂの間には隙間が構成されており、締結部材９０を用いて共締め固定するに際し、浮き防止板７０がより撓りやすく、且つ第２膨出部７２が第１膨出部５１側へとより移動しやすくなっている。ゆえに、テコの原理による力をより生じさせやすく、浮き防止効果をより発揮しやすくなっている。
【００２５】
図３、図５のように、浮き防止板７０の付近では、座金部材６３Ｂと組付部材６３Ａとが天板本体部２０及び補強板５０を上下に挟む構成で互いに組み付けられている。そして、図３のように、浮き防止板７０において前側の縁部には、後方側に凹む凹部７４が形成されている。組付部材６３Ａは、天板本体部２０の裏面２０Ｂ側において、一部が凹部７４内に配置される構成をなし、凹部７４内において浮き防止板７０に隣接した状態で座金部材６３Ｂに組み付けられている。更に、組付部材６３Ａにおいてバーナ挿通部２１Ｃよりも凹部７４側に、補強板５０を天板本体部２０側に向かって押圧する突出部６３Ｄが形成されている。突出部６３Ｄの一部又は全部を凹部７４内に配置するように突出部６３Ｄと浮き防止板７０とをより近接させて設けることで、締結部材９０を用いて共締め固定するに際し、共締め部分付近で補強板５０が浮き防止板７０側に浮いてしまうこと（裏面２０Ｂから離れて下方側に移動すること）を、より効果的に防止し得る。
【００２６】
次に、ガスコンロ１の製造方法を説明する。
以下では、ガスコンロ１における天板部４の製造工程を主に説明する。なお、天板部４以外は公知の製造方法を採用可能である。天板部４を製造する場合、図６のように、内枠体３０、座金部材６１Ｂ，６２Ｂ，６３Ｂを、それぞれ形成する。内枠体３０、座金部材６１Ｂ，６２Ｂ，６３Ｂは、公知の金属加工方法により予め定められた形状で形成する。一方で、図７のように、天板本体部２０を形成する工程を行う。例えば、天板本体部２０をガラス板として構成する場合、ガラス板状の天板本体を形成する公知の様々な方法を採用することができ、形状や厚さなども様々に設定し得る。そして、図８のように、天板本体部２０を配置する配置工程を行う。この配置工程では、まず、図６で示す内枠体３０において環状に構成された被覆部３２の裏面側に接着剤９２（図３参照）を塗布し、その状態で、図８のように天板本体部２０を配置する。つまり、被覆部３２と内縁部２４の表側の面との間に接着剤９２を介在させた状態で内枠体３０を内縁部２４に沿って配置する。
【００２７】
なお、天板本体部２０を形成する工程の前、又は後、又は同時期に、周縁枠体２８を形成する工程（枠体形成工程）を行う。具体的には、上述した形状の周縁枠体２８（図１〜図４等）を公知の金属加工方法を用いて形成する。また、天板本体部２０や周縁枠体２８を形成する工程の前、又は後、又は同時期に、補強板５０を形成する工程（補強板形成工程）を行う。具体的には、上述した形状の補強板５０（図２〜図４等）を公知の金属加工方法を用いて形成する。
【００２８】
図８のように天板本体部２０を配置した後には、図９のように天板本体部２０の裏面２０Ｂ上の所定位置（天板本体部２０の周縁部に沿うように周縁枠体２８の周縁部が配置される位置）に周縁枠体２８を配置する工程を行う。そして、図９のように周縁枠体２８を配置した後には、図１０のように、補強板５０を天板本体部２０の裏面２０Ｂ側に固定する工程（第１固定工程）を行う。補強板５０は、接着剤により天板本体部２０の裏面２０Ｂに接着され、周縁枠体２８にも接着される。また、補強板５０は、中央側内枠部６１，６２，６３のそれぞれの上下の挟み込みによっても固定される。図１０のように補強板５０が固定された後には、浮き防止板７０を天板本体部２０の裏面２０Ｂ側に固定する工程（第２固定工程）を行う。具体的には、図２〜図４のような状態（即ち、浮き防止板７０の係合部７６が内枠体３０の被係合部３３と係合する状態、且つ係合部７６において被係合部３３に対し下方側への押圧力が生じる状態）となるように、浮き防止板７０を天板本体部２０の裏面側に固定する。具体的には、締結部材９０により浮き防止板７０を補強板５０に固定する。この工程後には、図２と同様の構成となる。そして、このように天板本体部２０、周縁枠体２８、補強板５０、浮き防止板７０などを一体的に組み付けた後には、得られた結合体を乾燥させる乾燥工程を行う。乾燥工程では、得られた結合体を例えば常温で所定時間放置し、被覆部３２と内縁部２４の表側の面との間に介在する接着剤９２（図３等参照）を乾燥させる。なお、図４のように、接着剤９２は、内縁部２４の孔の内壁と環状壁部３７との間にも介在し、係合部７６や被係合部３３にも密着する。
【００２９】
次に、本発明の主な効果を例示する。
ガスコンロ１の構成によれば、内枠体３０には下方側への力が継続的に付加されることになり、内枠体３０が天板本体部２０から浮き上がることを確実に抑えることができる。しかも、浮き防止板７０によって内枠体３０に対し下方側への力を付加することができるため、接着剤９２（接着媒体）の乾燥が不十分な時期であっても内枠体３０の浮き上がりを確実に抑えることができる。また、天板本体部２０の裏面側に固定される浮き防止板７０によってこのような作用を生じさせることができるため、見栄えを大きく損ねることもない。
また、ガスコンロ１は、補強板５０が、第１膨出部５１を有し、浮き防止板７０が、第２膨出部７２を有し、第１膨出部５１と第２膨出部７２とを締結するように締結部材９０が設けられ、締結部材９０により第２膨出部７２を第１膨出部に近づける上方側への力が加えられることに応じて、係合部７６を下方側に付勢する付勢力が生じるように構成される。このように構成されていれば、第１膨出部５１と第２膨出部７２とを締結部材９０によってより強固に固定しつつ、その強固な固定構造に基づいて係合部７６を下方側に付勢する強い付勢力を発生させることができる。
また、ガスコンロ１は、第１膨出部と５１第２膨出部７２の間に隙間が構成されるため、第２膨出部７２を第１膨出部５１側に近づけることによって付勢力を発生させようとする構造を採用する上で、第２膨出部７２の移動可能な範囲をより大きく確保することができ、より強い付勢力を発生させやすくなる。
また、ガスコンロ１において、組付部材６３Ａは、天板本体部２０の裏面２０Ｂ側において、少なくとも一部が凹部７４内に配置されるとともに凹部７４内において浮き防止板７０に隣接した状態で座金部材６３Ｂに組み付けられている。このように、コンロバーナ８Ｃの周囲に配置される座金部材６３Ｂと組付部材６３Ａを利用し、浮き防止板７０により近い位置で補強板５０と天板本体部２０を強固に密着させることができる。
また、組付部材６３Ａにおいてバーナ挿通部２１Ｃよりも凹部７４側には、補強板５０を天板本体部２０側に向かって押圧する突出部６３Ｄが形成されている。このように突出部６３Ｄが設けられていれば、浮き防止板７０により近い位置で、点接触又はそれに近い形で補強板５０を押圧することができ、補強板５０と天板本体部２０を強固に密着させることができる。
【００３０】
＜他の実施例＞
本発明は上記記述及び図面によって説明した実施例に限定されるものではなく、例えば次のような例も本発明の技術的範囲に含まれる。また、上述した実施例の特徴や後述する実施例の特徴は矛盾しない範囲で様々に組み合わせることが可能である。
実施例１では、天板本体部２０の内縁部が貫通孔からなる内縁部２４として構成されていたが、切り欠き部からなる内縁部として構成されていてもよい。具体的には、天板本体部の後端側の外縁の一部が前方側に向かって凹んだ凹部として切り欠き部が形成されていてもよい。この場合、天板本体部２０の外周部に沿って外枠体を固定し、切り欠き部と外枠体とによって構成される開口部に内枠体を嵌め込んで固定するように構成すればよい。
【符号の説明】
【００３１】
１…ガスコンロ、２…筐体部、４…天板部、８Ａ，８Ｂ，８Ｃ…コンロバーナ、１０…グリル庫、２０…天板本体部、２０Ａ…天板本体部の表側の面、２０Ｂ…天板本体部の裏面、２４…天板本体部の内縁部、３０…内枠体、３２…被覆部、３３…被係合部、３４…当接部、３５…排気口、５０…補強板、５１…第１膨出部、６３Ａ…組付部材、６３Ｂ…座金部材、６３Ｃ…バーナ挿通部、６３Ｄ…突出部、７０…浮き防止板、７２…第２膨出部、７４…凹部、７６…係合部、９０…締結部材、９２…接着剤（接着媒体）
【図１】
2019023521.tif 000003
【図２】
2019023521.tif 000004
【図３】
2019023521.tif 000005
【図４】
2019023521.tif 000006
【図５】
2019023521.tif 000007
【図６】
2019023521.tif 000008
【図７】
2019023521.tif 000009
【図８】
2019023521.tif 000010
【図９】
2019023521.tif 000011
【図１０】
2019023521.tif 000012